(57)【要約】【課題】切断作業時の作業者の屈伸動作を減らし、作業者の足腰に掛かる負担を軽くし、効率的に作業を行うことができる画期的な切断装置を提供することを目的とする。【解決手段】受部３と移動部４の一方に起倒回動自在に設けた回動係止部10と、他方に設けた係止部11とから成る係合保持機構９を備え、係止部11を傾倒状態の回動係止部10に対して接近させ当接させて、この回動係止部10を起立回動させ、この起立回動した回動係止部10が係止部11に係合係止する、若しくは係止可能状態となって操作杆７を切断操作することで係合係止して、受部３と移動部４との係合状態を保持するように構成すると共に、回動係止部10に、この回動係止部10と係止部11との係合係止を解除する傾倒回動操作を足で操作する足操作部12を設けた切断装置。【選択図】図１
2014148002.tif 000002
【特許請求の範囲】
【請求項１】
被切断物を係合配設し得る係合配設部を設けた受部と、この受部に対して接離移動自在に設けた移動部とから成り、前記受部の係合配設部に被切断物を係合配設し、この被切断物を係合配設した前記受部に対して前記移動部を接近させ上方から係合させてこの移動部と前記受部とで前記被切断物を挟み込み固定するように構成した挟持固定部を備え、この挟持固定部により挟み込み固定した被切断物を、前記受部に設けた受部側切断刃と、前記移動部に設けこの移動部に設けた操作杆の操作により前記受部側切断刃に対して接離可動自在に設けた移動部側切断刃とで挟持切断し得るように構成した切断装置において、前記受部と前記移動部との係合状態を保持する係合保持機構を備え、この係合保持機構は、前記受部と前記移動部のいずれか一方に起倒回動自在に設けた回動係止部と、いずれか他方に設け前記回動係止部が係止する係止部とから成り、前記受部に対して前記移動部を相対的に接近移動させることで、前記係止部が傾倒状態の前記回動係止部に対して相対的に接近し当接してこの回動係止部を押動して起立回動させ、この起立回動した回動係止部が前記係止部に係合係止する、若しくは係止可能状態となって前記操作杆を切断操作することで係合係止して、前記受部と前記移動部との係合状態を保持するように構成し、前記回動係止部に、この回動係止部を傾倒状態に戻してこの回動係止部と前記係止部との係合係止を解除する傾倒回動操作を足で操作する足操作部を、この回動係止部の側方に向けて突設したことを特徴とする切断装置。
【請求項２】
前記回動係止部は、前記受部の前方側端部に設けた枢着部に枢着して前方へ傾倒回動自在に設けた回動部に係止フック部を上方に向けて突設すると共に、前記係止部が当接する係止部当接部を設けた構成とし、前記回動部が前方へ傾倒回動して前記係止フック部が前方に向かって傾いた前記傾倒状態においては、前記受部の前方側端部と前記係止フック部との離間距離が前記係止部を挿通し得る離間距離に広がると共に、前記係止部当接部の位置が前記係止部と当接し得る位置まで上昇するように構成し、この傾倒状態の回動係止部の前記係止フック部と前記受部の前方側端部との間を前記係止部が挿通し上昇位置にある前記係止部当接部に当接して前記回動係止部を押動することにより、この回動係止部が起立回動して起立状態となった際は、前記係止フック部が前記回動係止部を押動した前記係止部に係合係止して、若しくは係止可能状態となって前記操作杆を切断操作することで係合係止して、前記係合保持機構がロック状態となり、前記受部と前記移動部との係合状態が解除不能状態に保持されるように構成したことを特徴とする請求項１記載の切断装置。
【発明の詳細な説明】
【技術分野】
【０００１】
本発明は、例えばＬ型アングルのような長尺の被切断物を切断するための切断装置に関するものである。
【背景技術】
【０００２】
従来、Ｌ型アングルのような長尺の被切断物を切断する際は、特許文献１に示すような切断装置が用いられている。
【０００３】
この特許文献１の切断装置（以下、従来装置と称す）は、長尺の被切断物に被嵌連結し得る被嵌連結部に、被切断物を係合配設し得る係合部と、この係合部の対向位置に設けられ該係合部に対して接離移動し得る移動部とを設け、この移動部にラチェット機構やリンク機構等の作動機構を介して作用腕となる腕部を連設し、この腕部の往復操作により移動部を係合部に接近移動させた際、移動部と係合部とで被切断物を挟持切断し得るように構成したものであり、また、この従来装置は、被嵌連結部を構成する上方対向部材の先端部に垂設される係止部材と、この係止部材の先端係止部がバネに付勢された状態で係止し、下方対向部材の先端部に設けられた係止段部とで構成される開放阻止機構を有し、この開放阻止機構により切断時に上方対向部材の開放擺動が阻止され、被切断物を所定位置で挟み込んだ被嵌連結状態が確実に保持されるように構成している。
【先行技術文献】
【特許文献】
【０００４】
【特許文献１】特許第４２０２８４６号公報
【発明の概要】
【発明が解決しようとする課題】
【０００５】
この従来装置の開放阻止機構は、開放阻止状態を解除する際、即ち、係止部材と係止段部との係止状態を解除する際は、作業者が手で係止部材を引っ張り回動して係止段部から係止部材を離反させて係合を解除する構成としているが、この開放阻止機構は、作業者の足元に位置するため、作業者は解除作業の際は、屈んだ状態で解除作業を行わなければならなかった。
【０００６】
このため、この従来装置を用いて被切断物を切断する際は、作業者は、まず、屈んで係合部に被切断物を係合配設し、立ち上がって腕部を往復操作して被切断物を挟持切断し、挟持切断終了後、一旦屈んで開放阻止機構を解除し、また立ち上がって腕部を操作して上方対向部材を擺動させて被嵌連結部を開放状態し、再度屈んで係合部に係合配設した被切断物を取り出すといったように、一回の切断作業で何度も屈んだり立ち上がったりする屈伸動作をしなければならなかった。
【０００７】
従って、この従来装置を用いた切断作業は、作業者の足腰に大きな負担を掛ける非常に難儀な作業となっていた。
【０００８】
本発明は、上述のような現状に鑑み、切断作業時の作業者の屈伸動作を減らし、作業者の足腰に掛かる負担を軽くし、効率的に作業を行うことができる画期的な切断装置を提供することを目的とする。
【課題を解決するための手段】
【０００９】
添付図面を参照して本発明の要旨を説明する。
【００１０】
被切断物１を係合配設し得る係合配設部２を設けた受部３と、この受部３に対して接離移動自在に設けた移動部４とから成り、前記受部３の係合配設部２に被切断物１を係合配設し、この被切断物１を係合配設した前記受部３に対して前記移動部４を接近させ上方から係合させてこの移動部４と前記受部３とで前記被切断物１を挟み込み固定するように構成した挟持固定部５を備え、この挟持固定部５により挟み込み固定した被切断物１を、前記受部３に設けた受部側切断刃６と、前記移動部４に設けこの移動部４に設けた操作杆７の操作により前記受部側切断刃６に対して接離可動自在に設けた移動部側切断刃８とで挟持切断し得るように構成した切断装置において、前記受部３と前記移動部４との係合状態を保持する係合保持機構９を備え、この係合保持機構９は、前記受部３と前記移動部４のいずれか一方に起倒回動自在に設けた回動係止部10と、いずれか他方に設け前記回動係止部10が係止する係止部11とから成り、前記受部３に対して前記移動部４を相対的に接近移動させることで、前記係止部11が傾倒状態の前記回動係止部10に対して相対的に接近し当接してこの回動係止部10を押動して起立回動させ、この起立回動した回動係止部10が前記係止部11に係合係止する、若しくは係止可能状態となって前記操作杆７を切断操作することで係合係止して、前記受部３と前記移動部４との係合状態を保持するように構成し、前記回動係止部10に、この回動係止部10を傾倒状態に戻してこの回動係止部10と前記係止部11との係合係止を解除する傾倒回動操作を足で操作する足操作部12を、この回動係止部10の側方に向けて突設したことを特徴とする切断装置に係るものである。
【００１１】
また、前記回動係止部10は、前記受部３の前方側端部３Ａに設けた枢着部13に枢着して前方へ傾倒回動自在に設けた回動部10Ａに係止フック部10Ｂを上方に向けて突設すると共に、前記係止部11が当接する係止部当接部14を設けた構成とし、前記回動部10Ａが前方へ傾倒回動して前記係止フック部10Ｂが前方に向かって傾いた前記傾倒状態においては、前記受部３の前方側端部３Ａと前記係止フック部10Ｂとの離間距離が前記係止部11を挿通し得る離間距離に広がると共に、前記係止部当接部14の位置が前記係止部11と当接し得る位置まで上昇するように構成し、この傾倒状態の回動係止部10の前記係止フック部10Ｂと前記受部３の前方側端部３Ａとの間を前記係止部11が挿通し上昇位置にある前記係止部当接部14に当接して前記回動係止部10を押動することにより、この回動係止部10が起立回動して起立状態となった際は、前記係止フック部10Ｂが前記回動係止部10を押動した前記係止部11に係合係止して、若しくは係止可能状態となって前記操作杆７を切断操作することで係合係止して、前記係合保持機構９がロック状態となり、前記受部３と前記移動部４との係合状態が解除不能状態に保持されるように構成したことを特徴とする請求項１記載の切断装置に係るものである。
【発明の効果】
【００１２】
本発明は上述のように構成したから、挟持固定部を開放操作する際の係合保持機構の解除作業を作業者が立った状態で、足で行うことができ、これにより、作業者は解除操作のために一々屈む必要が無くなり、切断作業時の作業者の屈伸動作が従来装置を用いた場合に比して減り、作業者の足腰に掛かる負担が軽くなり、効率的に切断作業を行うことができる実用性に優れた画期的な切断装置となる。
【００１３】
また、請求項２記載の発明においては、簡易な構成で係合保持機構のロック・解除機能を発揮することができ、容易に設計実現可能となる実用性に優れた切断装置となる。
【図面の簡単な説明】
【００１４】
【図１】本実施例を示す斜視図である。
【図２】本実施例の偏心カム機構の動作説明図である。
【図３】本実施例の係合保持機構の状態説明図である。
【図４】本実施例の係合保持機構の状態説明図である。
【図５】本実施例の係合保持機構の状態説明図である。
【図６】本実施例の係合保持機構の状態説明図である。
【図７】本実施例の係合保持機構の状態説明図である。
【図８】本実施例の使用状態を示す説明図である。
【発明を実施するための形態】
【００１５】
好適と考える本発明の実施形態を、図面に基づいて本発明の作用を示して簡単に説明する。
【００１６】
受部３の係合配設部２に被切断物１を係合配設し、この係合配設部２に係合配設した被切断物１を挟持固定部５で挟み込み固定するために、受部３に対して移動部４を相対的に接近移動させると、この受部３に対する移動部４の相対的接近移動に伴って、係合保持機構９を構成する係止部11が回動係止部10に対して相対的に接近移動して傾倒状態の回動係止部10に当接する。
【００１７】
この傾倒状態の回動係止部10に係止部11が当接すると、回動係止部10は係止部11に押動されて起立回動し、傾倒状態から起立状態になる。
【００１８】
この回動係止部10が起立状態となることで、被切断物１は、挟持固定部５、即ち受部３と移動部４との係合により挟み込み固定され、更に、回動係止部10を押動した係止部11と回動係止部10とが係合係止して、若しくは回動係止部10と係止部11とが係止可能状態となって操作杆７を切断操作した際に係止部11と係合係止して係合保持機構９がロック状態となり、受部３と移動部４との係合状態が解除不能状態に保持され、切断作業時に、移動部４に対して上方に押し上げ付勢する力が作用してもこの移動部４が上方に移動せず、挟持固定部５による被切断物１の挟み込み固定状態が保持され、スムーズな切断作業を行うことができることとなる。
【００１９】
また、切断作業終了後、係合保持機構９のロック状態を解除するために、回動係止部10を傾倒状態に戻してこの回動係止部10と係止部11との係合係止状態を解除する傾倒回動操作を行う際は、作業者は、立った状態のまま、回動係止部10に側方に向かって突設した足操作部12を足で操作して回動係止部10を傾倒回動させることができ、この足操作による回動係止部10の傾倒回動操作によって係合保持機構９のロック状態が解除されて、被切断物１を挟持固定している挟持固定部５の開放操作が可能となる。
【００２０】
このように、本発明は、係合保持機構９のロック解除操作を作業者が立ったまま足で操作して行うことができるので、作業者はこのロック解除操作のために一々屈む必要が無くなり、これにより、切断作業時の作業者の屈んだり立ち上がったりする屈伸動作が従来装置を用いた場合に比して減少し、作業者の足腰に掛かる負担が軽減されて、効率的に切断作業を行うことができる実用性に優れた画期的な切断装置となる。
【実施例】
【００２１】
本発明の具体的な実施例について図面に基づいて説明する。
【００２２】
本実施例は、本発明の切断装置をＬ型アングル用の切断装置として構成した場合であり、図１に示すように、棒状本体部15の先端部に長尺の被切断物１としてのＬ型アングル１を挟み込み固定する挟持固定部５を設け、この挟持固定部５により挟み固定したＬ型アングル１を、この挟持固定部５に設けた操作杆７を往復回動操作してこの挟持固定部５に設けた受部側切断刃６と移動部側切断刃８とで挟持切断（せん断）するように構成したものである。
【００２３】
以下に、本実施例の切断装置に係る構成各部について詳細に説明する。
【００２４】
本実施例の棒状本体部15は、長さ方向各端部側（先端側及び基端側）に接地部15Ａを設け、更に、先端側に設けた接地部15Ａに、挟持固定部５を取り付け固定する取付固定板部15Ｂを立設した構成としている。
【００２５】
また、この棒状本体部15の先端部に取り付け固定される挟持固定部５は、上下方向に対向配設した受部３と移動部４とで構成している。
【００２６】
この挟持固定部５の下部側を構成する受部３は、立設状態に配設した方形状の板状ブロック体から成り、Ｌ型アングル１を係合配設する係合配設部２と、Ｌ型アングル１を挟持切断（せん断）する切断刃の一方側となる受部側切断刃６とを設けた構成としている。
【００２７】
より具体的には、係合配設部２は、この受部３の上縁部をＶ字状に切り欠いて形成した構成とし、また、本実施例では、この係合配設部２の底面部の厚さ方向一側端縁を受部側切断刃６とし、この受部側切断刃６と後述する移動部側切断刃８とのすれ違いによりＬ型アングル１をせん断し切断するように構成している。
【００２８】
また、本実施例の受部３は、移動部４を回動自在に連結する回動連結部16を設けた構成とし、具体的には、受部３の上面部後方側にこの回動連結部16を上方に向けて突設した構成としている。
【００２９】
また、挟持固定部５の上部側を構成する移動部４は、受部３と同様に、立設状態に配設した方形状の板状ブロック体から成り、後方側下方角部を受部３の回動連結部16に軸着して回動自在に連設して、受部３に対して上下方向に擺動自在に設けた構成としている。
【００３０】
また、この移動部４は、Ｌ型アングル１を挟持切断（せん断）する切断刃の他方側となる移動部側切断刃８を設けた構成とし、この移動部側切断刃８は、受部３に設けた受部側切断刃６に対して接離可動且つすれ違い可動自在に設けた構成としている。
【００３１】
具体的には、この移動部側切断刃８は、移動部４に設けた操作杆７を操作することで偏心カム機構により移動部４に設けた上下方向に貫通する切断刃用貫通孔17の内面に沿って上下可動するように構成している。
【００３２】
より詳細に説明すると、図２に示すように、操作杆７の回動軸部７Ａに偏心カム18を設け、この偏心カム18を設けた操作杆７の回動軸部７Ａを、移動部側切断刃８に設けたスライド部移動空間部19内にスライド移動自在に設けたスライド部20の嵌合孔20Ａに自転回動自在に嵌合配設し、操作杆７を上下回動操作すると、この操作杆７の回動軸となる回動軸部７Ａと共に偏心カム18がスライド部20の嵌合孔20Ａ内で自転回動し、この偏心カム18の自転回動によりスライド部20が移動部側切断刃８のスライド部移動空間部19を前後方向に移動しつつ移動部側切断刃８を上下方向に可動させるように構成し、本実施例においては、操作杆７を下方側に回動操作すると移動部側切断刃８が下方側、即ち受部側切断刃６に接近する方向に可動し、上方側に回動操作すると移動部側切断刃８が上方側、即ち受部側切断刃６から離反する方向に可動するように構成している。
【００３３】
また、本実施例は、Ｌ型アングル１を切断する際、挟持固定部５である受部３と移動部４とを係合させてこのＬ型アングル１を挟み込み固定して挟持切断（せん断）するが、この挟持切断時に生じる切断抵抗によって移動部４が上方に押し上げられ、受部３と移動部４との係合状態が解除されないように、この受部３と移動部４との係合状態を保持する係合保持機構９を設けた構成としている。
【００３４】
この係合保持機構９は、受部３に設けた回動係止部10と、移動部４に設けた係止部11とで構成している。
【００３５】
具体的には、回動係止部10は、受部３の前方側端部３Ａに設けた枢着部13に枢着して前方へ傾倒回動自在に設けた回動部10Ａに係止フック部10Ｂを上方に向けて突設すると共に、移動部４の係止部11が当接する係止部当接部14を設けた構成とし、回動部10Ａが前方へ傾倒回動して係止フック部10Ｂが前方に向かって傾いた傾倒状態となった際に、この回動係止部10を設けた受部３の前方側端部３Ａ（先端面）と係止フック部10Ｂの先端部との離間距離が係止部11を挿通し得る離間距離に広がると共に、係止部当接部14の位置が係止部11と当接し得る位置まで上昇するように構成している。
【００３６】
また更に、この回動係止部10は、この回動係止部10の傾倒回動を足で操作するための足操作部12を設けた構成とし、具体的には、この足操作部12は、回動係止部10の側方に向けて突設した構成としている。
【００３７】
より具体的に説明すると、本実施例は、この足操作部12の先端部に前方に向かって上がり傾斜する傾斜状態に設けた板状の足当接部12Ａを設け、この傾斜状に設けた足当接部12Ａを足で前方に蹴り出すように操作することで回動係止部10が前方に傾倒回動するように構成している。
【００３８】
尚、この足操作部12は回動係止部10の一方側のみに設けて付け替え自在に構成したり、両側に設けた構成として、作業者の利き足側にこの足操作部12を設けることによって、より操作性が向上する構成とすることができる。
【００３９】
また、この回動係止部10と係合係止する係止部11は、先端側をフック状に形成し、移動部４の前方側端部４Ａに、このフック状先端部11Ａを下方に向けて垂設した構成としている。
【００４０】
また更に、本実施例の係止部11は、高さ調整機構21により上下方向に移動自在に設けた構成としている。
【００４１】
この高さ調整機構21は、係止部11の基端部に突設した雄ネジ部21Ａと、この雄ネジ部21Ａに螺合する雌ネジを形成した操作摘み部21Ｂとで構成し、この係止部11に設けた雄ネジ部21Ａを移動部４の先端部に突設した先端突出部22に下方側から挿通し、この先端突出部22の上方に突出した雄ネジ部21Ａに操作摘み部21Ｂを螺着し、操作摘み部21Ｂを締め込み回動操作することで係止部11が上方に移動し、緩み回動操作することで下方に移動するように構成している。
【００４２】
また、本実施例では、この高さ調整機構21で高さ位置を調整した係止部11を位置決め固定する位置決め固定機構23を設けた構成とし、この位置決め固定機構23は、係止部11に縦長の貫通孔を形成し、移動部４の先端面に雌ネジ部を形成し、係止部11に形成した貫通孔に操作ハンドル24を設けた固定ネジを挿通して移動部４の雌ネジ部に螺着し、この操作ハンドル24を回動操作して固定ネジを締め付けることで、係止部11をこの固定ネジと移動部４の先端面とで挟持固定して移動不能に位置決め固定するように構成している。
【００４３】
また、本実施例は、この移動部４に、この移動部４と受部３とで挟み込み固定したＬ型アングル１に上方から当接する若しくは近接状態に設けられる当接部25を設けた構成とし、具体的には、この当接部25は、受部３と移動部４とがＬ型アングル１を挟み込み固定した状態で、挟持切断によって切り落とされる側でない方に向かって突設し、この切り落とされない方のＬ型アングル１の上面に先端部が当接する若しくは近接状態となるように設けた構成として、挟持切断時にこの切り落とされない方が上方に浮き上がって傾斜状態になることを防止し、切断刃がＬ型アングル１に対して垂直に移動し良好な切断面を形成するようにしている。
【００４４】
上述のように構成した本実施例の作用・効果を、本実施例を用いてＬ型アングル１を切断する際の作業手順に沿って説明する。
【００４５】
本実施例を用いてＬ型アングル１を切断する際は、先ず、図３に示すように、操作杆７を上方側に引動操作して移動部４を開き擺動させて挟持固定部５を開放状態にする開放操作を行い、受部３の係合配設部２に被切断物１であるＬ型アングル１を係合配設する。
【００４６】
受部３の係合配設部２のＬ型アングル１を係合配設した後、操作杆７を下方側に押動操作して移動部４を閉じ擺動させて移動部４を受部３に接近移動させて係合させ、この受部３と移動部４とでＬ型アングル１を挟み込み固定する。
【００４７】
この移動部４の受部３への接近移動に伴い、この移動部４に設けた係止部11が受部３に設けた回動係止部10に接近移動し、図４に示すように、この係止部11の先端部が傾倒状態の回動係止部10の係止部当接部14に当接する。
【００４８】
この傾倒状態の回動係止部10に係止部11が当接すると、図５に示すように、回動係止部10は係止部11に押動されて回動部10Ａが起立回動し、係止フック部10Ｂが傾倒状態から起立状態（直立状態）になる。
【００４９】
この回動係止部10（係止フック部10Ｂ）が起立状態となることで、この回動係止部10の係止フック部10Ｂが、この回動係止部10を押動した係止部11のフック状先端部11Ａと係止可能な状態となる。
【００５０】
この回動係止部10の係止フック部10Ｂと、係止部11のフック状先端部11Ａとが係止可能な状態で、操作杆７を下方側に回動操作してＬ型アングル１を切断すると、図６に示すように、移動部側切断刃８がＬ型アングル１に当接し押圧した際の反作用で移動部４の係止部11を設けた前方側がわずかに上方に移動して回動係止部10の係止フック部10Ｂに係止部11のフック状先端部11Ａが係合係止する。
【００５１】
この回動係止部10の係止フック部10Ｂと係止部11のフック状先端部11Ａとが係合係止することにより、移動部４の前方側の上方への移動は抑制され、受部３と移動部４との係合状態を保持することとなる。
【００５２】
即ち、本実施例は、挟持固定部５で挟み込み固定したＬ型アングル１を切断し始めると同時に受部３の回動係止部10と移動部４の係止部11とが係合係止して係合保持機構９がロック状態となり、受部３と移動部４との係合状態が解除不能状態に保持され、切断作業時に、移動部４に対して上方に押し上げ付勢する力が作用しても、この移動部４が上方に移動せず、挟持固定部５によるＬ型アングル1の挟み込み固定状態が良好に保持され、スムーズな切断作業を行うことができることとなる。
【００５３】
また、切断作業が終了し、操作杆７を上方側に回動操作して移動部側切断刃８を上方側に退避可動させると、移動部４の前方側の上昇付勢が解除され、回動係止部10の係止フック部10Ｂと、係止部11のフック状先端部11Ａとの係合係止状態が解除されて、回動係止部10が傾倒回動可能な係止可能状態（非係止状態）となる。
【００５４】
この回動係止部10の係止フック部10Ｂと、係止部11のフック状先端部11Ａとの係合係止状態が解除された状態で、図７，図８に示すように、回動係止部10に設けた足操作部12の足当接部12Ａに足を掛けて、この足当接部12Ａを前方に蹴り出すように足操作して回動係止部10を傾倒回動操作すると、回動係止部10は、もとの傾倒状態となり、係合保持機構９のロックが解除される。
【００５５】
この係合保持機構９が解除されることで、挟持固定部５の開放操作が可能となるので、操作杆７を上方に引動操作して移動部４を開き擺動させて挟持固定部５を開放操作することで、この挟持固定部５を開放状態にし、この挟持固定部５が開放状態となることで受部３の係合配設部２に係合配設したＬ型アングル１の取り出しが可能となり、このＬ型アングル１を係合配設部２から取出して作業終了となる。
【００５６】
このように、本実施例は、係合保持機構９のロック解除操作を作業者が立ったまま足で操作して行うことができるので、作業者はこのロック解除操作のために一々屈む必要が無くなり、これにより、切断作業時の作業者の屈んだり立ち上がったりする屈伸動作が従来装置を用いた場合に比して減少し、作業者の足腰に掛かる負担が軽減されて、効率的に切断作業を行うことができる実用性に優れた画期的な切断装置となる。
【００５７】
尚、本発明は、本実施例に限られるものではなく、各構成要件の具体的構成は適宜設計し得るものである。
【符号の説明】
【００５８】
１  被切断物
２  係合配設部
３  受部
３Ａ  前方側端部
４  移動部
５  挟持固定部
６  受部側切断刃
７  操作杆
８  移動部側切断刃
９  係合保持機構
10  回動係止部
10Ａ  回動部
10Ｂ  係止フック部
11  係止部
12  足操作部
13  枢着部
14  係止部当接部
【図１】
2014148002.tif 000003
【図２】
2014148002.tif 000004
【図３】
2014148002.tif 000005
【図４】
2014148002.tif 000006
【図５】
2014148002.tif 000007
【図６】
2014148002.tif 000008
【図７】
2014148002.tif 000009
【図８】
2014148002.tif 000010